(57)【要約】【課題】GMPLSネットワーク等のように、複数のノードを含み、且つノード間がデータリンク及びコントロールチャネルを介して接続されたネットワークにおいても、論理リンクの接続性検証を行えるようにする。【解決手段】試験対象論理リンクL1の始点ノードN1が、コントロールチャネルを介して終点ノードN3に対して論理リンク検証要求メッセージを送信し、接続性検証試験を開始することを通知する（ステップB1,B2）。その後、始点ノードN1は、試験対象論理リンクL1に、検証データとなる物理リンク検証メッセージを送信する（ステップB5,B6）。終点ノードN3は、コントロールチャネルを介して試験開始が通知されると、試験対象論理リンクL1を介してデータを受信できたか否かに基づいて、接続性検証試験を行い、試験結果メッセージを始点ノードN1に返す(ステップB7,B8,B9）。【選択図】図３
2008148290.tif 000002
【特許請求の範囲】
【請求項１】
複数のノードを含み、且つノード間がデータリンク及びコントロールチャネルを介して接続されたネットワークにおける論理リンク接続性検証方法において、
前記ネットワークを構成するノード間を接続するデータリンクにより設定された試験対象論理リンクの始点ノードが、前記ノード間を接続するコントロールチャネルを利用して前記試験対象論理リンクの終点ノードに対して前記試験対象論理リンクの接続性検証試験の開始を通知する接続性検証試験開始ステップと、
前記始点ノードが、前記試験対象論理リンクを介して任意の検証データを送信する検証データ送信ステップと、
前記終点ノードが、前記試験対象論理リンクを介してデータを受信できたか否かに基づいて接続性検証試験を行い、試験結果を前記コントロールチャネルを介して前記始点ノードに返す試験結果返却ステップと、
を含むことを特徴とする論理リンク接続性検証方法。
【請求項２】
請求項１記載の論理リンク接続性検証方法において、
前記接続性検証試験開始ステップでは、前記始点ノードが、前記コントロールチャネルを利用して、前記試験対象論理リンク上の中間ノードに対しても前記試験対象論理リンクの接続性検証試験の開始を通知し、且つ、
前記中間ノードが、前記試験対象論理リンクを介してデータを送受信できたか否かに基づいて接続性検証試験を行い、試験結果を前記始点ノードに返す中間ノード側試験結果返却ステップを含むことを特徴とする論理リンク接続性検証方法。
【請求項３】
請求項１または２記載の論理リンク接続性検証方法において、
前記試験対象論理リンクが、複数の論理リンクから構成されていることを特徴とする論理リンク接続性検証方法。
【請求項４】
請求項１乃至３の何れか１項に記載の論理リンク接続性検証方法において、
前記ネットワークが、GMPLSネットワークであることを特徴とする論理リンク接続性検証方法。
【請求項５】
複数のノードを含み、且つノード間がデータリンク及びコントロールチャネルを介して接続されたネットワークにおける論理リンク接続性検証システムであって、
前記複数のノードの各々は検証手段を有し、前記検証手段は、
複数のデータリンクから構成される試験対象論理リンクの接続性検証試験を行うことが指示された場合、前記コントロールチャネルを介して前記試験対象論理リンクの終点ノードに対して前記試験対象論理リンクの接続性検証試験を開始することを通知すると共に、前記試験対象論理リンクに任意の検証データを送信し、
前記コントロールチャネルを介して前記試験対象論理リンクの接続性検証試験を開始することが通知された場合、前記試験対象論理リンクを介してデータを受信できたか否かに基づいて接続性検証試験を行い、試験結果を前記コントロールチャネルを介して前記試験対象論理リンクの始点ノードに返す、
ことを特徴とする論理リンク接続性検証システム。
【請求項６】
請求項５記載の論理リンク接続性検証システムにおいて、
前記検証手段が、
複数のデータリンクから構成される試験対象論理リンクの接続性検証試験を行うことが指示された場合、前記コントロールチャネルを利用して、前記試験対象論理リンク上の中間ノードに対しても前記試験対象論理リンクの接続性検証試験の開始を通知し、
前記コントロールチャネルを介して前記試験対象論理リンクの接続性検証試験を開始することが通知された場合、自ノードが前記試験対象論理リンクの中間ノードであることを条件にして、前記試験対象論理リンクを介してデータを送受信できたか否かに基づいて接続性検証試験を行い、試験結果を前記始点ノードに返す、
ことを特徴とする論理リンク接続性検証システム。
【請求項７】
請求項５または６記載の論理リンク接続性検証システムにおいて、
前記試験対象論理リンクが、複数の論理リンクから構成されたものであることを特徴とする論理リンク接続性検証システム。
【請求項８】
請求項５記載の論理リンク接続性検証システムにおいて、
前記検証手段が、
検証データ送信指示によって指示された試験対象論理リンクに任意の検証データを送信し、検証指示によって指示された試験対象論理リンクを介してデータを受信できたか否かに基づいて接続性検証試験を行う論理リンク検証処理部と、
接続性検証試験を行う試験対象論理リンクが指示されたとき、前記コントロールチャネルを介して前記試験対象論理リンクの終点ノードに対して前記試験対象論理リンクの接続性検証試験を開始することを通知すると共に、前記論理リンク検証処理部に対して検証データ送信指示を出力し、前記コントロールチャネルを介して試験対象論理リンクの接続性検証試験を開始することが通知されたとき、自ノード内の前記論理リンク検証処理部に対して前記試験対象論理リンクの接続性検証試験を行うことを指示する検証指示を出力し、該検証指示に対する前記論理リンク検証処理部の試験結果を、前記コントロールチャネルを介して前記試験対象論理リンクの始点ノードに返すコントロールチャネル処理部と、
を備えたことを特徴とする論理リンク接続性検証システム。
【請求項９】
請求項５乃至８の何れか１項に記載の論理リンク接続性検証システムにおいて、
前記ネットワークが、GMPLSネットワークであることを特徴とする論理リンク接続性検証システム。
【請求項１０】
複数のノードを含み、且つノード間がデータリンク及びコントロールチャネルを介して接続されたネットワークの構成要素となるノードであって、
複数のデータリンクから構成される試験対象論理リンクの接続性検証試験を行うことが指示された場合、前記コントロールチャネルを介して前記試験対象論理リンクの終点ノードに対して前記試験対象論理リンクの接続性検証試験を開始することを通知すると共に、前記試験対象論理リンクに任意の検証データを送信し、前記コントロールチャネルを介して前記試験対象論理リンクの接続性検証試験を開始することが通知された場合、前記試験対象論理リンクを介してデータを受信できたか否かに基づいて接続性検証試験を行い、試験結果を前記コントロールチャネルを介して前記試験対象論理リンクの始点ノードに返す検証手段を備えたことを特徴とするノード。
【請求項１１】
請求項１０記載のノードにおいて、
前記検証手段が、
複数のデータリンクから構成される試験対象論理リンクの接続性検証試験を行うことが指示された場合、前記コントロールチャネルを利用して、前記試験対象論理リンク上の中間ノードに対しても前記試験対象論理リンクの接続性検証試験の開始を通知し、前記コントロールチャネルを介して前記試験対象論理リンクの接続性検証試験を開始することが通知された場合、自ノードが前記試験対象論理リンクの中間ノードであることを条件にして、前記試験対象論理リンクを介してデータを送受信できたか否かに基づいて接続性検証試験を行い、試験結果を前記始点ノードに返すことを特徴とするノード。
【請求項１２】
請求項１０または１１記載のノードにおいて、
前記試験対象論理リンクが、複数の論理リンクから構成されたものであることを特徴とするノード。
【請求項１３】
請求項１０記載のノードにおいて、
前記検証手段が、
検証データ送信指示によって指示された試験対象論理リンクに任意の検証データを送信し、検証指示によって指示された試験対象論理リンクを介してデータを受信できたか否かに基づいて接続性検証試験を行う論理リンク検証処理部と、
接続性検証試験を行う試験対象論理リンクが指示されたとき、前記コントロールチャネルを介して前記試験対象論理リンクの終点ノードに対して前記試験対象論理リンクの接続性検証試験を開始することを通知すると共に、前記論理リンク検証処理部に対して検証データ送信指示を出力し、前記コントロールチャネルを介して試験対象論理リンクの接続性検証試験を開始することが通知されたとき、自ノード内の前記論理リンク検証処理部に対して前記試験対象論理リンクの接続性検証試験を行うことを指示する検証指示を出力し、該検証指示に対する前記論理リンク検証処理部の試験結果を、前記コントロールチャネルを介して前記試験対象論理リンクの始点ノードに返すコントロールチャネル処理部と、
を備えたことを特徴とするノード。
【請求項１４】
複数のノードを含み、且つノード間がデータリンク及びコントロールチャネルを介して接続されたネットワークの構成要素となるノードをコンピュータにより実現するためのプログラムであって、
前記コンピュータを、
複数のデータリンクから構成される試験対象論理リンクの接続性検証試験を行うことが指示された場合、前記コントロールチャネルを介して前記試験対象論理リンクの終点ノードに対して前記試験対象論理リンクの接続性検証試験を開始することを通知すると共に、前記試験対象論理リンクに任意の検証データを送信し、前記コントロールチャネルを介して前記試験対象論理リンクの接続性検証試験を開始することが通知された場合、前記試験対象論理リンクを介してデータを受信できたか否かに基づいて接続性検証試験を行い、試験結果を前記コントロールチャネルを介して前記試験対象論理リンクの始点ノードに返す検証手段として機能させるためのプログラム。
【請求項１５】
請求項１４記載のプログラムにおいて、
前記検証手段が、
複数のデータリンクから構成される試験対象論理リンクの接続性検証試験を行うことが指示された場合、前記コントロールチャネルを利用して、前記試験対象論理リンク上の中間ノードに対しても前記試験対象論理リンクの接続性検証試験の開始を通知し、前記コントロールチャネルを介して前記試験対象論理リンクの接続性検証試験を開始することが通知された場合、自ノードが前記試験対象論理リンクの中間ノードであることを条件にして、前記試験対象論理リンクを介してデータを送受信できたか否かに基づいて接続性検証試験を行い、試験結果を前記始点ノードに返すことを特徴とするプログラム。
【請求項１６】
請求項１４記載のプログラムにおいて、
前記検証手段が、
検証データ送信指示によって指示された試験対象論理リンクに任意の検証データを送信し、検証指示によって指示された試験対象論理リンクを介してデータを受信できたか否かに基づいて接続性検証試験を行う論理リンク検証処理部と、
接続性検証試験を行う試験対象論理リンクが指示されたとき、前記コントロールチャネルを介して前記試験対象論理リンクの終点ノードに対して前記試験対象論理リンクの接続性検証試験を開始することを通知すると共に、前記論理リンク検証処理部に対して検証データ送信指示を出力し、前記コントロールチャネルを介して試験対象論理リンクの接続性検証試験を開始することが通知されたとき、自ノード内の前記論理リンク検証処理部に対して前記試験対象論理リンクの接続性検証試験を行うことを指示する検証指示を出力し、該検証指示に対する前記論理リンク検証処理部の試験結果を、前記コントロールチャネルを介して前記試験対象論理リンクの始点ノードに返すコントロールチャネル処理部と、
を備えたことを特徴とするプログラム。
【発明の詳細な説明】
【技術分野】
【０００１】
本発明は、複数のデータリンク（物理リンク）から構成される論理リンクの接続性検証試験技術に係り、特にGMPLS（Generalized Multi Protocol Label Switching）ネットワークのように複数のノードを含み、且つノード間がデータリンク及びコントロールチャネルを介して接続されたネットワークにおける論理リンク接続性検証試験方法およびシステムに関する。
【背景技術】
【０００２】
複数のノードを含み、且つノード間がデータリンク及びコントロールチャネルを介して接続されたネットワークとして従来からGMPLSネットワークが知られている。図９は、GMPLSネットワークの構成例を示すブロック図である。同図に示すようにGMPLSネットワークは、複数のノードN1〜N4を備え、ノードN1〜N4間はデータリンクDL1〜DL8及びコントロールチャネルC21〜C24を介して接続されている。
【０００３】
データリンクDL1〜DL8は、実際のデータ（ユーザデータ）が流れるリンクであり、一般的には光ファイバによって実現される。また、データリンクは、一般に、ノード間に２本以上存在する。一方、コントロールチャネルC21〜C24は、ルーティングやシグナリングなどGMPLSネットワークを制御するメッセージが流れるリンクである。また、ノードN1〜N4は、スイッチング機能、ルーティング機能、シグナリング機能などを持ち、データリンクDL1〜DL8及びコントロールチャネルC21〜C24が接続されるポートを有する。
【０００４】
上記したように、GMPLSネットワークは、データプレーンとコントロールプレーンとが分離されているため、コントロールチャネルが正常であってもデータリンクが異常であることがある。このため、GMPLSネットワークでは、LMP(Link Management Protocol)のデータリンク接続性検証機能を利用して、図１０に示すような手順でデータリンクの接続性検証試験を行うようにしている。
【０００５】
図１０では、ノードN1,N2間のデータリンクの接続性検証試験を行っている。
【０００６】
ステップE1において、接続性検証試験を開始することを通知するために、ノードN1は、コントロールチャネルC21を介してBegin VerifyメッセージをノードN2に送信する。このBegin Verifyメッセージには、接続性検証試験を行う対象となるデータリンクの識別子や本数が含まれる。
【０００７】
ノードN1からのBegin Verifyメッセージを受信したノードN2は、データリンクの接続性検証試験を行う準備ができていることを伝えるために、ステップE2において、コントロールチャネルC21を介してノードN1にBegin Verify Ackを送信する。
【０００８】
Begin Verify Ackを受信したノードN1は、ノードN1からノードN2へのデータリンクの接続性検証試験を開始する。具体的にはステップE3において、ノードN1は、接続性検証試験を行うデータリンクを介してノードN2に、Testメッセージを送信する（検証すべきデータリンクが複数ある場合もある）。
【０００９】
ステップE4において、ノードN2は、データリンク上でTestメッセージを正常に受信した場合、コントロールチャネルC21を介してノードN1へTest Status Successメッセージを送信する。ノードN2は、Begin Verifyを受信後に、一定時間経ってもTestメッセージを受信できなかった場合に、コントロールチャネルC21を介してTest Status FailureメッセージをノードN1に送信する。
【００１０】
Test Status SuccessメッセージまたはTest Status Failureメッセージを受信したノードN1は、Test Status SuccessメッセージまたはTest Status Failureメッセージを受信したことを通知するために、ステップE5において、コントロールチャネルC21を介してTest Status AckメッセージをノードN2に送信する。
【００１１】
次に、データリンクの接続性検証試験を終了することをノードN2に通知するために、ステップE6において、ノードN1は、コントロールチャネルC21を介してノードN2にEnd Verifyメッセージを送信する。
【００１２】
最後に、ステップE7において、ノードN2は、コントロールチャネルC21を介してノードN1にEnd Verify Ackメッセージを送信し、データリンクの接続性検証試験を終了する。
【００１３】
上記したように、LMPのメッセージ交換においては、Testメッセージのみがデータリンク上で交換され、それ以外の全てのメッセージはコントロールチャネル上で交換される。
【００１４】
ところで、GMPLSネットワークでは任意の２つのノード間で通信を行う場合、データプレーンにおいて事前にパスを設定する必要がある（パスは連続したデータリンクの集合である）。GMPLSネットワークでは、一旦パスが設定されると、そのパスは１本の論理リンクとなり、この論理リンクを介して２つのノード間で通信が行われる。例えば、図１１に示すノードN1,N3間で通信を行う場合は、ノードN1がコントロールチャネルC21,C22を利用してノードN3との間に、データリンクDL2,DL3から構成される論理リンクL1を設定し、この論理リンクL1を介して通信を行う。
【００１５】
従って、複数の連続したデータリンクから構成される論理リンクについても接続性検証試験を行うことが望ましい。しかしながら、LMPのデータリンク接続性検証機能は、物理的に隣接するノード間のデータリンクの接続性検証機能しか持っていないため、論理リンクの接続性検証試験を行うことができなかった。
【００１６】
一方、論理リンクの接続性検証試験技術としては、例えば特許文献１に開示された技術が知られている。この特許文献１に記載されている技術は、ネットワーク（複数の交換機を含む）間を接続する論理リンクの接続性検証試験を行うものである。接続性検証試験を行う場合、保守者が、保守端末から試験対象とする論理リンクの始点ネットワークに試験コマンドを入力する。この試験コマンドには、試験対象にする論理リンク（試験対象論理リンク）を示す情報が含まれている。始点ネットワークは、保守コマンドが入力されると、試験対象論理リンクの終点ネットワークを宛先とした試験メッセージを生成し、それを試験コマンドによって指示された試験対象論理リンクに送信する。
【００１７】
始点ネットワークと終点ネットワークとの間に存在する中間ネットワークでは、試験対象論理リンクを介して送られてきたデータの内容を解析し、試験メッセージが送られてきたことを認識すると、試験メッセージに含まれていたネットワークの状態情報（正常、異常など）と、自ネットワークの状態情報を含む応答メッセージを生成し、始点ネットワークに返す。更に、中間ネットワークは、受信した試験メッセージに自ネットワークの状態情報を追加し、状態情報追加後の試験メッセージを試験対象論理リンクを介して後段のネットワークに送信する。
【００１８】
また、終点ネットワークでは、試験対象論理リンクを介してデータを受信すると、その内容を解析し、試験メッセージであるか否かを判断する。そして、試験メッセージである場合には、この試験メッセージに含まれていたネットワークの状態情報と、自ネットワークの状態情報とを含む応答メッセージを生成し、始点ネットワークに返す。始点ネットワークでは、各ネットワークから送られてきた応答メッセージ中の状態情報を保守端末へ送信し、保守端末では、始点ネットワークから送られてきた状態情報を画面に表示する。
【００１９】
【特許文献１】特開平８−１１１６８２号公報
【発明の開示】
【発明が解決しようとする課題】
【００２０】
特許文献１に記載されている技術によれば、論理リンクの接続性検証を行うことが可能になる。しかし、この技術は、ノード間がデータリンク及びコントロールチャネルが同一の通信路を介して接続されたネットワークに適用することができる。このため、複数のノードを含み、且つノード間がデータリンク及びコントロールチャネルを介して接続されたGMPLSネットワーク等のネットワークには、特許文献１に記載されている技術を適用することができない。
【００２１】
そこで、本発明の目的は、複数のノードを含み、且つノード間がデータリンク及びコントロールチャネルを介して接続されたGMPLSネットワークのようなネットワークにおいても、論理リンクの接続性検証試験を行えるようにすることにある。
【課題を解決するための手段】
【００２２】
本発明によれば、複数のノードを含み、且つノード間がデータリンク及びコントロールチャネルを介して接続されたネットワークにおける論理リンク接続性検証方法であって、前記ネットワークを構成するノード間を接続するデータリンクにより設定された試験対象論理リンクの始点ノードが、前記ノード間を接続するコントロールチャネルを利用して前記試験対象論理リンクの終点ノードに対して前記試験対象論理リンクの接続性検証試験の開始を通知する接続性検証試験開始ステップと、
前記始点ノードが、前記試験対象論理リンクを介して任意の検証データを送信する検証データ送信ステップと、前記終点ノードが、前記試験対象論理リンクを介してデータを受信できたか否かに基づいて接続性検証試験を行い、試験結果を前記コントロールチャネルを介して前記始点ノードに返す試験結果返却ステップと、を含むことを特徴とする。
【発明の効果】
【００２３】
本発明によれば、複数のノードを含み、且つノード間がデータリンク及びコントロールチャネルを介して接続されたGMPLSネットワークなどのネットワークにおいても、論理リンクの接続性検証試験を行うことができる。
【発明を実施するための最良の形態】
【００２４】
次に、発明を実施するための最良の形態について図面を参照して詳細に説明する。
【００２５】
〔本発明の第１の実施の形態〕
本発明は、複数のノードを含み、且つノード間がデータリンク及びコントロールチャネルを介して接続されたGMPLSネットワーク等のネットワークに適用するものである。以下、説明を煩雑にしないために、一例として図９に示すGMPLSネットワークに本発明を適用した場合を説明する。
【００２６】
まず、本発明の第１実施形態による論理リンク接続性検証システムで使用されるノードについて説明する。図９に示すノードＮ１−Ｎ４の各々は同様の回路構成を有するので、以下、ノードＮ２を代表として回路構成を説明する。
【００２７】
図１は、図９に示したノードN1〜N4の内の、ノードN2の構成例を示すブロック図である。同図に示すようにノードN2は、コントロールチャネル処理部11と、論理リンク検証処理部12と、クロスコネクトスイッチ13と、記憶装置14と、データリンクDL1〜DL4,N7,N8が接続されたポートP21〜P24,P27,P28と、コントロールチャネルC21,C22が接続されたポートP221,P222と、パーソナルコンピュータ等によって実現される試験端末装置21が接続できる試験用ポートP2とが設けられている。
【００２８】
記憶装置14には、論理リンク情報記憶部15と、データリンク情報記憶部16と、クロスコネクト設定情報記憶部17とが設けられている。
【００２９】
論理リンク情報記憶部15には、論理リンクと、その論理リンクを構成するデータリンクの内の、ノードN2に接続されているデータリンクとを対応付けるための論理リンク情報が登録される。今、例えば、図１１に示すように、ノードN1,N3間にデータリンクDL2,DL3から構成される論理リンクL1が設定されているとすると、ノードN2の論理リンク情報記憶部15の内容は図２（Ａ）に示すものとなる。同図の例は、論理リンクL1を構成するデータリンクの内の、データリンクDL2,DL3がそれぞれ入データリンク、出データリンクとしてノードN2に接続されていることを示している。なお、論理リンクL1の始点となる始点ノードN1においては、論理リンクID「L1」に対応付けて出データリンクID「DL2」のみが登録され、終点ノードN3においては、論理リンクID「L1」に対応付けて入データリンクID「DL3」のみが登録される。
【００３０】
また、データリンク情報記憶部16には、データリンクとポートとを対応付けるためのデータリンク情報が登録される。図２（Ｂ）は、ノードN2のデータリンク情報記憶部16の内容例を示す図である。同図の例は、データリンクDL1〜DL4,DL7,DL8がポートP21〜P24,P27,P28に接続されていることを示している。
【００３１】
また、クロスコネクト設定情報記憶部17には、自ノードN2内のクロスコネクトスイッチに対する設定情報が登録される。図２（Ｃ）は、ノードN2のクロスコネクト設定情報記憶部17の内容例を示す図であり、同図の例は、ポートP22とポートP23とがクロスコネクトスイッチにより接続されていることを示している。
【００３２】
コントロールチャネル処理部11は、コントロールチャネルC21,C22を介して送られてくる論理リンクの設定指示に従って論理リンクを設定する機能などの従来から存在する機能に加え、次のような機能を備えている。
【００３３】
・試験開始指示機能：  試験端末装置21が試験用のポートP2に接続されて当該ノードが始点ノードになった場合（ここでは、ノードＮ１の場合）、試験端末装置21から接続性検証試験を行う論理リンク（試験対象論理リンク）の論理リンクIDを含んだ試験開始指示が入力されたとき、当該ノードは、コントロールチャネルを介して試験対象論理リンクの終点ノードに対して接続性検証試験を開始することを通知すると共に、論理リンク検証処理部12に対して検証データ送信指示を出力する。なお、上記検証データ送信指示には、検証データを送信するデータリンクが接続されているポートのポートIDが含まれている。
【００３４】
・試験実行指示機能：  コントロールチャネルを介して試験対象論理リンクの接続性検証試験を開始することが通知されたとき、自ノード（ここでは、ノードＮ２、Ｎ３）内の論理リンク検証処理部12に対して試験対象論理リンクの接続性検証試験を行うことを指示する検証指示を出力する。なお、上記検証指示には、試験対象論理リンクを構成するデータリンクが接続されているポートのポートIDが含まれている。
【００３５】
・試験結果返送機能：  論理リンク検証処理部12の試験結果を、コントロールチャネルを介して試験対象論理リンクの始点ノードに返す（ここでは、ノードＮ２、Ｎ３）。
【００３６】
論理リンク検証処理部12は、次のような機能を有する。
【００３７】
・コントロールチャネル処理部11からの検証データ送信指示によって指示されたポートに検証データを送信する機能。なお、検証データは、任意のもので良い。
【００３８】
・コントロールチャネル処理部11からの検証指示によって指示されたポートを介してデータを送受信できたか否か基づいて接続性検証試験を行う機能。
【００３９】
このような機能を有するノードN2は、コンピュータによって実現可能であり、コンピュータによって実現する場合は、例えば次のようにする。コンピュータをコントロールチャネル処理部11及び論理リンク検証処理部12として機能させるためのプログラムを記録したディスク、半導体メモリ、その他の記録媒体を用意し、コンピュータに上記プログラムを読み取らせる。コンピュータは、読み取ったプログラムに従って自身の動作を制御することにより、自コンピュータ上に、コントロールチャネル処理部11及び論理リンク検証処理部12を実現する。
【００４０】
〔第１の実施の形態の動作〕
次に、本実施の形態の動作について詳細に説明する。
【００４１】
図３は、図１１に示した論理リンクL1の接続性検証試験を行う場合の動作を説明するためのシーケンス図、図４はノードN2におけるデータリンクと論理リンクとの関係を詳細に示した図である。ここでは、ノードＮ１とノートＮ３との間でノードＮ２を介して設定された論理リンクＬ１の接続性検証試験が実行される。以下、各ノードＮｘ（ｘ＝１、２、３）において、コントロールチャネル処理部11、論理リンク検証処理部12、クロスコネクトスイッチ13、記憶装置14、論理リンク情報記憶部15、データリンク情報記憶部16、クロスコネクト設定情報記憶部17は、それぞれ参照番号１１．ｘ、１２．ｘ、１３．ｘ、１４．ｘ、１５．ｘ、１６．ｘ、１７．ｘで示すものとする。同様に、試験ポートＰ２はＰ２．ｘで示し、データリンクＤＬ１、ＤＬ２、ＤＬ３、ＤＬ４に接続したポートはそれぞれＰｘ１、Ｐｘ２、Ｐｘ３、Ｐｘ４で示し、コントロールチャネルＣ２１、Ｃ２２に接続したポートはそれぞれＰｘ２１、Ｐｘ２２で示すものとする。
【００４２】
図３は論理リンクL1の設定後にノードN1〜N3でやり取りされるメッセージを示している。なお、ステップB5,B6でやり取りされるメッセージはデータリンクを通り、ステップB1〜B4,B7〜B13でやり取りされるメッセージはコントロールチャネルを通る。
【００４３】
試験担当者は、論理リンクL1の接続性検証試験を行う場合、論理リンクL1の始点ノードN1に試験端末装置21を接続し、試験開始指示を入力する。この試験開始指示には、論理リンクL1の論理リンクID「L1」が含まれている。
【００４４】
ノードN1内のコントロールチャネル処理部11．1は、試験端末装置21から論理リンクID「L1」を含んだ試験開始指示が入力されると、先ず、論理リンクL1の接続性検証試験の開始を通知するために、コントロールチャネルC21を介してノードN2へ論理リンク検証要求メッセージを送信する（ステップB1）。この論理リンク検証要求メッセージには、論理リンクID「L1」が含まれている。
【００４５】
ノードN2内のコントロールチャネル処理部11．2は、コントロールチャネルC21を介して論理リンクID「L1」を含んだ論理リンク検証要求メッセージを受信すると、自ノードN2が論理リンクL1の終点ノードでないので、コントロールチャネルC22を介してノードN3へ論理リンク検証要求メッセージを送信する（ステップB2）。更に、ノードN2内のコントロールチャネル処理部11．2は、論理リンク検証処理部12．2に対して検証指示を出力する。この検証指示には、論理リンクL1を構成する入データリンクDL2、出データリンクDL3と接続されているポートP22,P23のポートID「P22」「P23」が含まれている。これにより、論理リンク検証処理部12．2は、ポートP22,P23の監視を開始する。即ち、ポートP22を介してデータが入力されたかを監視すると共に、ポートP23を介してデータが出力されたかを監視する。そして、ポートP22を介してデータが入力されたことを検出した場合や、ポートP23を介してデータが出力されたことを検出した場合は、そのことをコントロールチャネル処理部11．2に通知する。なお、論理リンクL1を構成する入データリンクDL2、出データリンクDL3と接続されているポートP22,P23のポートID「P22」「P23」は、論理リンク情報記憶部15．2及びデータリンク情報記憶部16．2の内容から求めることができる。
【００４６】
ノードN3内のコントロールチャネル処理部11．3は、コントロールチャネルC22を介して論理リンク検証要求メッセージを受信すると、自ノードN3が論理リンクL1の終点ノードであるので、論理リンク検証応答メッセージをノードN2へ送信する（ステップB3）。更に、ノードN3内のコントロールチャネル処理部11．3は、論理リンク検証処理部12．3に対して検証指示を出力する。この検証指示には、論理リンクL1を構成する入データリンクDL3と接続されている自ノードN3のポートP33（図示せず）のポートID「P33」が含まれている。これにより、論理リンク検証処理部12．3は、ポートP33の監視を開始する。そして、ポートP33を介してデータが入力されたことを検出した場合は、そのことをコントロールチャネル処理部11．3に通知する。
【００４７】
ノードN2内のコントロールチャネル処理部11．2は、コントロールチャネルC22を介して論理リンク検証応答メッセージを受信すると、それをノードN1へ送信する（ステップB4）。
【００４８】
ノードN1内のコントロールチャネル処理部11．1は、論理リンク検証応答メッセージを受信すると、論理リンク検証処理部12．1に対して検証指示を出力する。この検証指示には、論理リンクL1を構成するデータリンクDL2と接続されているポートP2212のポートID「P2212」が含まれている。これにより、ノードN1内の論理リンク検証処理部12．1は、ポートP2212、データリンクDL2を介して、物理リンク検証メッセージ（検証データ）を送信する。なお、物理リンク検証メッセージの内容は任意のもので良い。
【００４９】
ノードN2に送られてきた物理リンク検証メッセージは、ポートP22、クロスコネクトスイッチ13．2、ポートP23を介してデータリンクDL3へ送信される（ステップB6）。これにより、ノードN2内の論理リンク検証処理部12．2は、ポートP22を介してデータが入力されたこと、及びポートP23を介してデータが出力されたことを検出し、そのことをコントロールチャネル処理部11．2に通知する。コントロールチャネル処理部11．2は、論理リンク検証要求メッセージを受信してから所定時間以内に上記通知を受けた場合は、試験に成功したことを示す試験結果メッセージをコントロールチャネルC21を介して始点ノードN1に返す。これに対して、所定時間以内に上記通知を受け取ることができなかった場合は、試験に失敗したことを示す試験結果メッセージを始点ノードN1に返す（ステップB7）。なお、試験結果メッセージには、ノードN2のノードIDが含まれている。ノードN1内のコントロールチャネル処理部11．1は、試験結果メッセージを受信すると、それを試験端末装置21へ送信し、試験端末装置21は、ノードN1から送られてきた試験結果メッセージを表示部（図示せず）に表示する。
【００５０】
また、ノードN3においてもノードN2と同様の処理が行われ、試験結果メッセージがコントロールチャネルC22を介してノードN2へ送信される（ステップB8）。ノードN2内のコントロールチャネル処理部11．2は、ノードN3から送られてきた試験結果メッセージを、コントロールチャネルC21を介して始点ノードN1へ送信する（ステップB９）。
【００５１】
ノードN1内のコントロールチャネル処理部11．1は、終点ノードN3からの試験結果メッセージを受信すると、それを試験端末装置21へ送信すると共に、検証終了メッセージをノードN2,N3へ送信する（ステップB10,B11）。
【００５２】
ノードN3内のコントロールチャネル処理部11．3は、検証終了メッセージを受信すると、検証終了応答メッセージをノードN2を介して始点ノードN1へ送信する（ステップB12,B13)。ここまでで、ノードN1からノードN3方向接続性検証試験が完了する。次に、同様にしてノードN3からノードN1の方向の接続性検証試験を行い、論理リンクL1の両方向の接続性を検証する。これにより、論理リンクL1の接続性検証試験は完了する。
【００５３】
〔第１の実施の形態の効果〕
本実施の形態によれば、複数のノードを含み、且つノード間がデータリンク及びコントロールチャネルを介して接続されたGMPLSネットワークなどのネットワークにおいても、論理リンクの接続性検証試験を行うことができる。その理由は、試験対象論理リンクL1の始点ノードN1が、コントロールチャネルC21,C22を介して試験対象論理リンクL1の終点ノードN3に対して、試験対象論理リンクL1の接続性検証試験の開始を通知するようにしているからである。即ち、終点ノードN3では、コントロールチャネルC21,C22を介して始点ノードN1から送られてくる通知に基づいて、試験対象論理リンクL1の接続性検証試験の開始を認識することができるので、複数のノードを含み、且つノード間がデータリンク及びコントロールチャネルを介して接続されたネットワークにおいても、接続性検証試験を行うことが可能になる。
【００５４】
〔本発明の第２の実施の形態〕
次に、本発明の第２の実施の形態について説明する。第１の実施の形態では、複数のデータリンクから構成される論理リンクの接続性検証試験を行ったが、第２の実施の形態では、複数の論理リンクから構成される論理リンクの接続性検証試験を行う。
【００５５】
図５は、５つのノードN51〜N55から構成されるネットワークに、２つの論理リンクLC1,LC2が存在する模式図を示している。なお、ノードN51〜N55は、図１に示したノードN2と同様の構成を有する。論理リンクLC1は、ノードN51−ノードN52−ノードN53間に設定され、論理リンクLC2は、ノードN53−ノードN54−ノードN55間に設定されている。図５の論理リンクLC1,LC2を利用して、新たな論理リンクLC3を生成した例を図６に示す。一度生成された論理リンクは、それぞれデータリンクと同じ役割を果たす。図６のノードN53内のリンク情報記憶部15、データリンク情報記憶部16、クロスコネクト設定情報記憶部17の内容例を図７（Ａ）〜（Ｃ）に示す。論理リンクLC3は、論理リンクLC1,LC2をデータリンクと同様に使用するため、論理リンクLC1,LC2の論理リンクID「LC1」、「LC2」がデータリンクIDとして論理リンク情報記憶部15及びデータリンク情報記憶部16に登録される。なお、図７（Ａ）では図示を省略しているが、図２（Ａ）と同様に、論理リンクとデータリンクとを対応付ける論理リンク情報も論理リンク情報記憶部15に登録されている。また、図７（Ｂ）では図示を省略しているが、図２（Ｂ）と同様に、データリンクとポートとを対応付けるデータリンク情報もデータリンク情報記憶部16に登録されている。
【００５６】
〔第２の実施の形態の動作〕
次に、本実施の形態の動作について説明する。なお、ノードN51−ノードN52−ノードN53に論理リンクLC1が、ノードN53−ノードN54−ノードN55に論理リンクLC2が既に設定され、更に、論理リンクLC1,LC2を利用した論理リンクLC3も既に設定されているとする。
【００５７】
図８を参照すると、最初に、ステップD1において、図３に示した手順と同様の手順で論理リンクC1の接続性検証試験を行う。論理リンクLC1の接続性が確認された場合、ステップD2において、ノードN51はノードN53に論理リンク検証要求メッセージを送信する。
【００５８】
次に、ステップD3において、ノードN53は、ノードN51に論理リンク検証応答メッセージを送信する。
【００５９】
次に、ステップD4において、論理リンクLC2の接続性検証試験を行う。論理リンクLC2の接続性が確認された場合、ステップD5において、ノードN53はノードN51に論理リンク検証終了メッセージを送信し、ステップD6において、ノードN51はノードN53に、論理リンク検証終了応答メッセージを送信する。
【００６０】
これ以降のステップD7〜D18において、論理リンクLC3の接続性検証が行われる。
【００６１】
ステップD7において、ノードN51は、ノードN53に論理リンク検証要求メッセージを送信し、ステップD8において、ノードN53はノードN55に論理リンク検証要求メッセージを転送する。論理リンク検証要求メッセージには、検証を行う論理リンクの論理リンクID「LC3」が含まれている。
【００６２】
次に、ステップD9において、ノードN55はノードN53に論理リンク検証応答メッセージを送信し、ステップD10において、ノードN53はノードN51に論理リンク検証応答メッセージを転送する。
【００６３】
次に、ステップD11において、ノードN51は論理リンクLC1（データリンク）を経由して、ノードN53に物理リンク検証メッセージを送信する。
【００６４】
次に、ステップD12において、ノードN53は論理リンクLC2（データリンク）を経由して、ノードN55に物理リンク検証メッセージを送信する。
【００６５】
ノードN55は、論理リンクLC3（データリンク）の接続性が確認できた場合、ノードN53に接続性検証試験成功を示す試験結果メッセージを送信し、確認できなかった場合は、接続性検証試験失敗を示す試験結果メッセージを送信する（ステップD13）。
【００６６】
次に、ステップD14において、ノードN53はノードN51に試験結果メッセージを転送する。
【００６７】
次に、ステップD15において、ノードN51はノードN53に検証終了メッセージを送信し、ステップD16において、ノードN53はノードN55に検証終了メッセージを転送する。
【００６８】
次に、ステップD17において、ノードN55はノードN53に、検証終了応答メッセージを送信し、ステップD18において、ノードN53はノードN51に検証終了応答メッセージを転送する。
【００６９】
〔第２の実施の形態の効果〕
本実施の形態によれば、複数の論理リンクLC1,LC2から構成される試験対象論理リンクLC3の接続性検証を行うことが可能になる。その理由は、試験対象論理リンクLC3の始点ノードN51が、試験対象論理リンクLC3の終点ノードN55に対して、コントロールチャネルを介して接続性検証試験の開始を通知するようにしているからである。
【００７０】
〔本発明の種々の側面〕
本発明にかかる第１の論理リンク接続性検証方法は、
ネットワークを構成するノード間を接続するデータリンクにより設定された試験対象論理リンクの始点ノードが、前記ノード間を接続するコントロールチャネルを利用して前記試験対象論理リンクの終点ノードに対して前記試験対象論理リンクの接続性検証試験の開始を通知する接続性検証試験開始ステップと、
前記始点ノードが、前記試験対象論理リンクを介して任意の検証データを送信する検証データ送信ステップと、
前記終点ノードが、前記試験対象論理リンクを介してデータを受信できたか否かに基づいて接続性検証試験を行い、試験結果を前記コントロールチャネルを介して前記始点ノードに返す試験結果返却ステップとを含むことを特徴とする。
【００７１】
本発明にかかる第２の論理リンク接続性検証方法は、第１の論理リンク接続性検証方法において、
前記接続性検証試験開始ステップでは、前記始点ノードが、前記コントロールチャネルを利用して、前記試験対象論理リンク上の中間ノードに対しても前記試験対象論理リンクの接続性検証試験の開始を通知し、且つ、
前記中間ノードが、前記試験対象論理リンクを介してデータを送受信できたか否かに基づいて接続性検証試験を行い、試験結果を前記始点ノードに返す中間ノード側試験結果返却ステップを含むことを特徴とする。
本発明にかかる第３の論理リンク接続性検証方法は、第１または第２の論理リンク接続性検証方法において、
前記試験対象論理リンクが、複数の論理リンクから構成されていることを特徴とする。
【００７２】
本発明にかかる第４の論理リンク接続性検証方法は、第１〜第３の何れかの論理リンク接続性検証方法において、
前記ネットワークが、GMPLSネットワークであることを特徴とする。
【００７３】
本発明にかかる第１の論理リンク接続性検証システムは、
複数のノードを含み、且つノード間がデータリンク及びコントロールチャネルを介して接続されたネットワークにおける論理リンク接続性検証システムであって、
前記複数のノードが、それぞれ、
複数のデータリンクから構成される試験対象論理リンクの接続性検証試験を行うことが指示された場合、前記コントロールチャネルを介して前記試験対象論理リンクの終点ノードに対して前記試験対象論理リンクの接続性検証試験を開始することを通知すると共に、前記試験対象論理リンクに任意の検証データを送信し、前記コントロールチャネルを介して前記試験対象論理リンクの接続性検証試験を開始することが通知された場合、前記試験対象論理リンクを介してデータを受信できたか否かに基づいて接続性検証試験を行い、試験結果を前記コントロールチャネルを介して前記試験対象論理リンクの始点ノードに返す検証手段を備えたことを特徴とする。
【００７４】
本発明にかかる第２の論理リンク接続性検証システムは、１の論理リンク接続性検証システムにおいて、
前記検証手段が、
複数のデータリンクから構成される試験対象論理リンクの接続性検証試験を行うことが指示された場合、前記コントロールチャネルを利用して、前記試験対象論理リンク上の中間ノードに対しても前記試験対象論理リンクの接続性検証試験の開始を通知し、前記コントロールチャネルを介して前記試験対象論理リンクの接続性検証試験を開始することが通知された場合、自ノードが前記試験対象論理リンクの中間ノードであることを条件にして、前記試験対象論理リンクを介してデータを送受信できたか否かに基づいて接続性検証試験を行い、試験結果を前記始点ノードに返すことを特徴とする。
【００７５】
本発明にかかる第３の論理リンク接続性検証システムは、第１または第２の論理リンク接続性検証システムにおいて、
前記試験対象論理リンクが、複数の論理リンクから構成されたものであることを特徴とする。
【００７６】
本発明にかかる第４の論理リンク接続性検証システムは、第１の論理リンク接続性検証システムにおいて、
前記検証手段が、
検証データ送信指示によって指示された試験対象論理リンクに任意の検証データを送信し、検証指示によって指示された試験対象論理リンクを介してデータを受信できたか否かに基づいて接続性検証試験を行う論理リンク検証処理部と、
接続性検証試験を行う試験対象論理リンクが指示されたとき、前記コントロールチャネルを介して前記試験対象論理リンクの終点ノードに対して前記試験対象論理リンクの接続性検証試験を開始することを通知すると共に、前記論理リンク検証処理部に対して検証データ送信指示を出力し、前記コントロールチャネルを介して試験対象論理リンクの接続性検証試験を開始することが通知されたとき、自ノード内の前記論理リンク検証処理部に対して前記試験対象論理リンクの接続性検証試験を行うことを指示する検証指示を出力し、該検証指示に対する前記論理リンク検証処理部の試験結果を、前記コントロールチャネルを介して前記試験対象論理リンクの始点ノードに返すコントロールチャネル処理部とを備えたことを特徴とする。
【００７７】
本発明にかかる第５の論理リンク接続性検証システムは、第１〜第４の何れかの論理リンク接続性検証システムにおいて、
前記ネットワークが、GMPLSネットワークであることを特徴とする。
本発明にかかる第１のノードは、
複数のノードを含み、且つノード間がデータリンク及びコントロールチャネルを介して接続されたネットワークの構成要素となるノードであって、
複数のデータリンクから構成される試験対象論理リンクの接続性検証試験を行うことが指示された場合、前記コントロールチャネルを介して前記試験対象論理リンクの終点ノードに対して前記試験対象論理リンクの接続性検証試験を開始することを通知すると共に、前記試験対象論理リンクに任意の検証データを送信し、前記コントロールチャネルを介して前記試験対象論理リンクの接続性検証試験を開始することが通知された場合、前記試験対象論理リンクを介してデータを受信できたか否かに基づいて接続性検証試験を行い、試験結果を前記コントロールチャネルを介して前記試験対象論理リンクの始点ノードに返す検証手段を備えたことを特徴とする。
【００７８】
本発明にかかる第２のノードは、第１のノードにおいて、
前記検証手段が、
複数のデータリンクから構成される試験対象論理リンクの接続性検証試験を行うことが指示された場合、前記コントロールチャネルを利用して、前記試験対象論理リンク上の中間ノードに対しても前記試験対象論理リンクの接続性検証試験の開始を通知し、前記コントロールチャネルを介して前記試験対象論理リンクの接続性検証試験を開始することが通知された場合、自ノードが前記試験対象論理リンクの中間ノードであることを条件にして、前記試験対象論理リンクを介してデータを送受信できたか否かに基づいて接続性検証試験を行い、試験結果を前記始点ノードに返すことを特徴とする。
【００７９】
本発明にかかる第３のノードは、第１または第２のノードにおいて、
前記試験対象論理リンクが、複数の論理リンクから構成されたものであることを特徴とする。
【００８０】
本発明にかかる第４のノードは、第１のノードにおいて、
前記検証手段が、
検証データ送信指示によって指示された試験対象論理リンクに任意の検証データを送信し、検証指示によって指示された試験対象論理リンクを介してデータを受信できたか否かに基づいて接続性検証試験を行う論理リンク検証処理部と、
接続性検証試験を行う試験対象論理リンクが指示されたとき、前記コントロールチャネルを介して前記試験対象論理リンクの終点ノードに対して前記試験対象論理リンクの接続性検証試験を開始することを通知すると共に、前記論理リンク検証処理部に対して検証データ送信指示を出力し、前記コントロールチャネルを介して試験対象論理リンクの接続性検証試験を開始することが通知されたとき、自ノード内の前記論理リンク検証処理部に対して前記試験対象論理リンクの接続性検証試験を行うことを指示する検証指示を出力し、該検証指示に対する前記論理リンク検証処理部の試験結果を、前記コントロールチャネルを介して前記試験対象論理リンクの始点ノードに返すコントロールチャネル処理部とを備えたことを特徴とする。
【００８１】
本発明にかかる第１のプログラムは、
複数のノードを含み、且つノード間がデータリンク及びコントロールチャネルを介して接続されたネットワークの構成要素となるノードをコンピュータにより実現するためのプログラムであって、
前記コンピュータを、
複数のデータリンクから構成される試験対象論理リンクの接続性検証試験を行うことが指示された場合、前記コントロールチャネルを介して前記試験対象論理リンクの終点ノードに対して前記試験対象論理リンクの接続性検証試験を開始することを通知すると共に、前記試験対象論理リンクに任意の検証データを送信し、前記コントロールチャネルを介して前記試験対象論理リンクの接続性検証試験を開始することが通知された場合、前記試験対象論理リンクを介してデータを受信できたか否かに基づいて接続性検証試験を行い、試験結果を前記コントロールチャネルを介して前記試験対象論理リンクの始点ノードに返す検証手段として機能させる。
【００８２】
本発明にかかる第２のプログラムは、第１のプログラムにおいて、
前記検証手段が、
複数のデータリンクから構成される試験対象論理リンクの接続性検証試験を行うことが指示された場合、前記コントロールチャネルを利用して、前記試験対象論理リンク上の中間ノードに対しても前記試験対象論理リンクの接続性検証試験の開始を通知し、前記コントロールチャネルを介して前記試験対象論理リンクの接続性検証試験を開始することが通知された場合、自ノードが前記試験対象論理リンクの中間ノードであることを条件にして、前記試験対象論理リンクを介してデータを送受信できたか否かに基づいて接続性検証試験を行い、試験結果を前記始点ノードに返すことを特徴とする。
【００８３】
本発明にかかる第３のプログラムは、第１のプログラムにおいて、
前記検証手段が、
検証データ送信指示によって指示された試験対象論理リンクに任意の検証データを送信し、検証指示によって指示された試験対象論理リンクを介してデータを受信できたか否かに基づいて接続性検証試験を行う論理リンク検証処理部と、
接続性検証試験を行う試験対象論理リンクが指示されたとき、前記コントロールチャネルを介して前記試験対象論理リンクの終点ノードに対して前記試験対象論理リンクの接続性検証試験を開始することを通知すると共に、前記論理リンク検証処理部に対して検証データ送信指示を出力し、前記コントロールチャネルを介して試験対象論理リンクの接続性検証試験を開始することが通知されたとき、自ノード内の前記論理リンク検証処理部に対して前記試験対象論理リンクの接続性検証試験を行うことを指示する検証指示を出力し、該検証指示に対する前記論理リンク検証処理部の試験結果を、前記コントロールチャネルを介して前記試験対象論理リンクの始点ノードに返すコントロールチャネル処理部とを備えたことを特徴とする。
【００８４】
〔作用〕
ノード間を接続するデータリンクにより設定された論理リンクの接続性検証試験を行う場合、試験対象にする論理リンク（試験対象論理リンク）の始点ノードが、コントロールチャネルを利用して試験対象論理リンクの終点ノードに対して、上記試験対象論理リンクの接続性検証試験を開始することを通知し、その後、上記試験対象論理リンクを介して任意の検証データを送信する。終点ノードは、コントロールチャネルを介して試験開始が通知されると、上記試験対象論理リンクを介してデータを受信できたか否かに基づいて接続性検証試験を行い、試験結果をコントロールチャネルを介して始点ノードに返す。
【産業上の利用可能性】
【００８５】
本発明は、GMPLSネットワーク等のように、複数のノードを含み、且つノード間がデータリンク及びコントロールチャネルを介して接続されたネットワークにおいて、論理リンクの接続性検証試験を行うのに適している。
【図面の簡単な説明】
【００８６】
【図１】本発明にかかる論理リンク接続性検証システムの第１の実施の形態において使用するノードの構成例を示すブロック図である。
【図２】第１の実施の形態で使用するノードN2の論理リンク情報記憶部15、データリンク情報記憶部16、クロスコネクト設定情報記憶部17の内容例を示す図である。
【図３】第１の実施の形態の動作を説明するためのシーケンス図である。
【図４】ノードN2におけるデータリンクと論理リンクとの関係を詳細に示した図である。
【図５】複数の論理リンクから構成される論理リンクを説明するための図である。
【図６】複数の論理リンクから構成される論理リンクを説明するための図である。
【図７】第２の実施の形態で使用するノードN53の論理リンク情報記憶部15、データリンク情報記憶部16、クロスコネクト設定情報記憶部17の内容例を示す図である。
【図８】第２の実施の形態の動作を説明するためのシーケンス図である。
【図９】GMPLSネットワークの構成例を示すブロック図である。
【図１０】従来のデータリンクの接続性検証試験を説明するためのシーケンス図である。
【図１１】GMPLSネットワークの論理リンクを説明するためのブロック図である。
【符号の説明】
【００８７】
N1〜N4,N51〜N55…ノード
11…コントロールチャネル処理部
12…論理リンク検証処理部
13…クロスコネクトスイッチ
14…記憶装置
15…論理リンク情報記憶部
16…データリンク情報記憶部
17…クロスコネクト設定情報記憶部
21…試験端末装置
L1…試験対象論理リンク
LC1〜LC3…論理リンク
DL1〜DL8…データリンク
C11〜C24…コントロールチャネル
P21〜P24,P27,P28,P221,P222,P2,P531,P532,P2…ポート
【図１】
2008148290.tif 000003
【図２】
2008148290.tif 000004
【図３】
2008148290.tif 000005
【図４】
2008148290.tif 000006
【図５】
2008148290.tif 000007
【図６】
2008148290.tif 000008
【図７】
2008148290.tif 000009
【図８】
2008148290.tif 000010
【図９】
2008148290.tif 000011
【図１０】
2008148290.tif 000012
【図１１】
2008148290.tif 000013